(57)【特許請求の範囲】
【請求項１】
低い外気温度での低温始動からエンジンの高速回転での全負荷運転に至る内燃機関の運転スペクトルの区分によって内燃機関の運転範囲（a、b、c、d、e、f、g、hおよびi）が定義され、前記内燃機関の運転範囲の運転順序に関係する弁装置（１９）における複数個の切換弁（２１）の切換によって、過給空気流が内燃機関の異なった複数のシリンダ（１１）に導かれ、第１の排気駆動過給機（Ａ）に排気ガス側の並列配置で追加される少なくとも一つの排気駆動過給機を、前記内燃機関の運転範囲の運転順序に従って追加接続しおよび後でしゃ断することによって過給空気の導入が変更される内燃機関の過給方法において、内燃機関（１０）の各シリンダ（１１）が常に排気駆動過給機（Ａ、Ｂ、Ｃ、Ｄ）の一台だけから過給空気を供給され、前記運転範囲の運転順序に応じて次の排気駆動過給機を追加接続する際に、および、既に接続されていた排気駆動過給機をしゃ断する際に、少なくとも一つのシリンダ（１１）の過給空気供給が或る排気駆動過給機の過給空気流から別の排気駆動過給機の過給空気流に切り換えられることを特徴とする内燃機関の過給方法。
【請求項２】
内燃機関（１０）の別の運転範囲（ｃ、ｄ、ｅ、ｇ、ｉ）を形成するために、次の排気駆動過給機（Ｂ、Ｃ、Ｄ）の追加接続後および既接続の排気駆動過給機のしゃ断前に、少なくとも一つの別のシリンダ（１１）の過給空気供給が或る排気駆動過給機の過給空気流から別の排気駆動過給機の過給空気流に切り換えられることを特徴とする請求項１記載の方法。
【請求項３】
第３の排気駆動過給機（Ｃ）の追加接続で始まる運転範囲（ｆ）が、シリンダ（１１）を個数的に半分づつ第１の排気駆動過給機（Ａ）と第２の排気駆動過給機（Ｂ）とに分割している運転範囲（ｅ）に続いていることを特徴とする請求項２記載の方法。
【請求項４】
内燃機関（１０）の最高運転範囲（ｉ）においてすべての排気駆動過給機のそれぞれが同数のシリンダ（１１）に過給空気を供給することを特徴とする請求項２又は３記載の方法。
【請求項５】
全負荷時における内燃機関（１０）の最高回転数が、排気駆動過給機の総数に対応した区分数に実質的に一様に分割され、この実質的に一様な分割は、弁装置（１９）における複数個の切換弁（２１）の配置によってなされることを特徴とする請求項２ないし４の１つに記載の方法。
【請求項６】
内燃機関（１０）のシリンダ（１１）に前置された弁装置（１９）の、内燃機関（１０）の運転範囲（ａ〜ｉ）の順序に対応した種々の位置の順序が、排気駆動過給機（Ａ、Ｂ、Ｃ、Ｄ）に付属した過給空気圧計（２６）と全シリンダ（１１）に共通の排気ガス圧計（２８）との測定値の組み合わせによって制御されることを特徴とする請求項１ないし４の１つに記載の方法。
【請求項７】
全測定値がコンピュータ（２４）にデジタル的に記憶された切換プロフィルと比較することによって間接的に弁装置（１９）並びに排気駆動過給機（Ｂ、Ｃ、Ｄ）を切り換えるために使用されることを特徴とする請求項５又は６記載の方法。
【発明の詳細な説明】
【０００１】
【発明の属する技術分野】
本発明は、低い外気温度での低温始動からエンジンの高速回転での全負荷運転に至る内燃機関の運転スペクトルの区分によって内燃機関の運転範囲が定義され、前記内燃機関の運転範囲の運転順序に関係する弁装置における複数個の切換弁の切換によって、過給空気流が内燃機関の異なった複数のシリンダに導かれ、第１の排気駆動過給機に排気ガス側の並列配置で追加される少なくとも一つの排気駆動過給機を、前記内燃機関の運転範囲の運転順序に従って追加接続しおよび後でしゃ断することによって過給空気の導入が変更される内燃機関の過給方法に関する。
【０００２】
【従来の技術】
小形の内燃機関が過給の助けによって、かなり大形の内燃機関に相当した出力を発生することができる。定格出力が予め定められている場合その過給に基づいてエンジンを著しく小形化することができる。内燃機関を排気駆動過給機で過給する際、一方では過給によって定格出力が増加でき、他方ではそのために幾何学・機械的圧縮が所望の定格出力上昇に比例して減少せざるを得ないという矛盾が生ずる。その幾何学・機械的圧縮の減少によって、過給式内燃機関の出力ないしトルクが低い回転数範囲において過比例して低下する。これは排気駆動過給機の固有運転回転数特性における非常に尖った性能曲線に起因する。流体機械は非常に狭い回転数範囲内でしか最良の流れ、従って高い出力をもたらさない。これは陸上車における内燃機関において双曲線状牽引力を得ようとすることと矛盾する。しかし複数の排気駆動過給機を採用することによって、内燃機関の運転回転数幅並びに排気駆動過給機の比容積運転量を分割することができる。もっともそれに応じた排気駆動過給機の時間的にずれた追加接続は、例えば第２の圧縮機から非常に低い圧力でまずは放出弁を介して外に流れる空気が既に第１の圧縮機の全圧状態にある内燃機関の過給空気マニホールドに到達しようとするとき、即ち比較的大きな流速および僅かな圧力発生を有する流体機械から比較的小さな流速および比較的大きな圧力発生を有するピストン機械に到達しようとするときに、過給装置を簡単にポンプ運転範囲に引き込み、追加接続された圧縮機における過給空気流を衰弱させてしまう。
【０００３】
冒頭に述べた形式の内燃機関の過給方法はドイツ特許第４４３４７７７号明細書で知られている。そこでは内燃機関のシリンダの種々の数のシリンダに過給空気流を向けるための、内燃機関の運転範囲の順序に関係して切り換えられる弁装置として、二つ以上の過給空気分離弁が組み込まれた過給空気マニホールドが設けられている。これらの過給空気分離弁は運転範囲に依存して異なる分割割合で過給空気マニホールドを二分するために使われ、その場合過給空気供給装置から分離された各シリンダは、過給空気マニホールドの過給空気が存在しない部分を通って全シリンダに付属した排気マニホールドから排気ガスを供給される。これによって過給式多気筒ディーゼルエンジン用に有利に、非常に低い外気温度の際の低温始動から高いエンジン回転数でかつ非常に高い外気温度の際の全負荷運転までの遷移調和運転スペクトルが得られる。全部で４個の過給空気分離弁を備えている場合、過給空気マニホールドを最も制限する過給空気分離弁は低温始動に、次の過給空気分離弁は暖まったエンジンの始動に、その次の過給空気分離弁は約２０°Ｃ以下の大気温の際の低い無負荷運転に、過給空気マニホールドを最も少ししか制限しない過給空気分離弁は約２０°Ｃ以上の大気温の際の高い無負荷運転に割り当てられている。更に最初に接続すべき排気駆動過給機には低い回転数による全負荷運転が、２番目に接続すべき排気駆動過給機には平均回転数による全負荷運転が、３番目に接続すべき排気駆動過給機には高い回転数による全負荷運転が割り当てられている。この切換の際も上述したポンプ作用、即ち過給空気の逆流および過給空気流の衰弱の危険が存在する。
【０００４】
【発明が解決しようとする課題】
本発明の課題は、過給式内燃機関において、出力上昇と関連して、燃費および有害物放出を低下させること、低い回転数範囲における加速性能を改善すること、部分負荷および全負荷における非常に低い回転数から部分負荷および全負荷における高い回転数までの遷移調和運転スペクトルを得ること、ポンプ作用なしにあるいは過給空気流の衰弱なしに少なくとも一つの別の排気駆動過給機の支障のない時間的にずれた追加接続および既接続の排気駆動過給機のしゃ断を可能にすることにある。
【０００５】
【課題を解決するための手段】
この課題は本発明に基づいて、冒頭に述べた形式の方法において、内燃機関の各シリンダが常に排気駆動過給機の一台だけから過給空気を供給され、前記運転範囲の運転順序に応じて次の排気駆動過給機を追加接続する際に、および、既に接続されていた排気駆動過給機をしゃ断する際に、少なくとも一つのシリンダの過給空気供給が或る排気駆動過給機の過給空気流から別の排気駆動過給機の過給空気流に切り換えられることによって解決される。
【０００６】
本発明に基づく内燃機関の過給方法によれば、個々の排気駆動過給機の過給空気流は従来のように過給空気マニホールドにおいて合流せず、内燃機関のシリンダに存在する入口弁まで常に互いに別々に保たれている。それにもかかわらず、内燃機関のシリンダは良好な低温始動の目的のために過給空気供給装置から除外されない。過給空気流が別々に保たれていることにより、次の排気駆動過給機における新たな過給空気圧は、先に運転している排気駆動過給機の既に確立されている過給空気圧によって害されることなしに生じさせられる。互いに分離された過給空気流を内燃機関に存在するシリンダに分配するための弁装置として、電気制御可能なレジスタ過給空気分配器が適している。その場合、過給空気マニホールドの場合のようにすべての過給空気流は全シリンダに接続されているタンクに流入するが、移動可能なピストン弁あるいは揺動可能なバタフライ弁あるいは他の分離弁によって一つあるいは複数のシリンダがそれぞれ唯一の排気駆動過給機に接続させられる。本発明によって得られる利点は特に、内燃機関の運転スペクトルが遷移調和的に細分化されることにある。そのために本発明の実施態様として、次の排気駆動過給機の追加接続後および既接続の排気駆動過給機のしゃ断前に、内燃機関の別の運転範囲を形成するために、少なくとも一つの別のシリンダの過給空気供給が或る排気駆動過給機の過給空気流から別の排気駆動過給機の過給空気流に切り換えられる。
【０００７】
【発明の実施の形態】
以下図に示した実施例を参照して本発明を詳細に説明する。図には従属請求項に記載されている本発明の有利な実施態様が概略的に示されている。
【０００８】
図１の中央に、排気ガスが排気マニホールド１２内で合流する８個のシリンダ１１を備えた内燃機関１０が存在している。排気マニホールド１２からそれぞれの排気ガス管１３が全部で４台の排気駆動過給機Ａ、Ｂ、Ｃ、Ｄのタービン１４に通じており、詳しくは排気駆動過給機Ｂ、Ｃ、Ｄにおいては切換弁１５を介して、排気駆動過給機Ａではそのような切換弁１５を介さずに通じている。４台の各排気駆動過給機Ａ、Ｂ、Ｃ、Ｄの圧縮機１６はそれぞれの過給空気管１７の構造部品であり、これは排気駆動過給機Ｂ、Ｃ、Ｄにおいては切換弁１８を有し、排気駆動過給機Ａにおいてはそのような切換弁１８を有していない。
【０００９】
排気駆動過給機Ａ、Ｂ、Ｃ、Ｄで発生された最大４つの過給空気流を内燃機関１０の８個のシリンダ１１に、図２における運転範囲ａ〜ｉに関係して種々に分割して供給するための弁装置１９は電気制御可能なレジスタ過給空気分配器として形成されている。その場合過給空気マニホールドの場合のように全ての過給空気流は全部のシリンダ１１に接続されているタンクに流入するが、８個のシリンダ接続口２０間に例外箇所を除いて挿入された分離弁２１によって、種々異なった数の過給空気流に分割する複数の部分室が形成されている。図２に内燃機関１０の全運転範囲ａ〜ｉにおける個々の空間分割が表の形でまとめられ、閉鎖した分離弁２１は実線で示され、開いた分離弁２１は破線で示され、４台の排気駆動過給機Ａ、Ｂ、Ｃ、Ｄで互いに別々に得られた過給空気流は異なったハッチングで明らかにされている。図１には内燃機関１０の最も複雑な図２における運転範囲ｈの状態の弁装置１９が示されている。
【００１０】
６個設けられた分離弁２１の各作動装置２２はそれぞれ制御線２３を介してコンピュータ２４に接続されている。このコンピュータ２４に導入された測定値が特にデジタル的に記憶された切換プロフィルと比較することによって間接的に弁装置１９並びに排気駆動過給機Ｂ、Ｃ、Ｄを切り換えるために使用される。その測定値として、排気駆動過給機Ａ、Ｂ、Ｃ、Ｄから供給された過給空気圧、排気マニホールド１２内における排気ガス圧、内燃機関１０の回転数および例えばアクセルペダル位置の形の需要負荷値が種々の組み合わせで利用される。このことを明らかにするために図１においてコンピュータ２４には、４本の各過給空気管１７におけるマノメータ２６からの信号線２５、排気マニホールド１２に組み込まれたマノメータ２８からの信号線２７、内燃機関１０の軸に接続されている回転数計３０の信号線２９および内燃機関１０のアクセルペダル３２における４箇所の位置の信号線３１がそれぞれ接続されている。なおまたコンピュータ２４から、排気駆動過給機Ｂの両切換弁１５、１８に制御線３３が、排気駆動過給機Ｃの両切換弁１５、１８に制御線３４が、排気駆動過給機Ｄの両切換弁１５、１８に制御線３５が接続されている。
【００１１】
ほぼ同じ大きさをした４台の排気駆動過給機Ａ、Ｂ、Ｃ、Ｄは、内燃機関１０の運転回転数特性に関係して一様に分担され、全負荷時に接続可能に設計されている。それらの単一の運転量はその総数に関連して内燃機関１０の全負荷時および最高回転数時における最大排気ガス流量および最大過給空気流量のほぼ４分の１に相当している。従ってほぼ同じ大きさをした４台の排気駆動過給機Ａ、Ｂ、Ｃ、Ｄは、切換弁１５、１８なしに作動する第１の排気駆動過給機Ａをできるだけ早期に使用するためないし最高出力点にするために、および更には各排気駆動過給機Ａ、Ｂ、Ｃ、Ｄの最高出力点と零点との間隔をほぼ同じ大きさにするために、それぞれ全負荷時における最高回転数の２５％、５０％、７５％、１００％の運転回転数特性点において最高出力となるようにされている。
【００１２】
電気制御可能なレジスタ過給空気分配器として形成された弁装置１９の出発位置および内燃機関１０の最低運転範囲ａにおいて、６個すべての分離弁２１が開かれているので、８個すべてのシリンダ１１が排気駆動過給機Ａの過給空気流を供給される。第１の排気駆動過給機Ａは排気ガス側も過給空気側もしゃ断装置を有しておらず、従って内燃機関１０の始動からその全運転回転数幅にわたって運転する。全負荷時において運転回転数幅のほぼ４分の１に到達すると、第６の分離弁２１が第８のシリンダ１１の前で小室をしゃ断し、この小室は内燃機関１０の運転範囲ｂにおいて排気駆動過給機Ｂからはじめて過給空気を供給される。この過給空気圧が小さな安全間隔で排気駆動過給機Ａのレベルに到達すると、第５の分離弁２１が閉じられ、第６の分離弁２１が再び開かれ、これによって排気駆動過給機Ａは内燃機関１０の運転範囲ｃでは最初の６個のシリンダ１１にしか供給せず、排気駆動過給機Ｂが最後の２個のシリンダ１１に供給する。またその排気駆動過給機Ｂの過給空気圧が切換過程を開始するために排気駆動過給機Ａの値にほぼ到達すると、今回は内燃機関１０の運転範囲ｄのために第４の分離弁２１が閉じられ、その直後に第５の分離弁２１が再び開けられる。このことは第３の分離弁２１および第４の分離弁２１でも同様に繰り返され、それに従って内燃機関１０の運転範囲ｅにおいて両排気駆動過給機Ａ、Ｂからそれぞれ４個のシリンダ１１に過給空気が供給される。
【００１３】
内燃機関１０の運転範囲ｆにおいてはじめて排気駆動過給機Ｃが使用され、その場合、排気駆動過給機Ｃについて支障のない高速運転を可能にするために、第３の分離弁２１が閉じられたままで、第４の分離弁２１が追加的に閉じられる。再び排気駆動過給機Ａの過給空気圧レベルに或る間隔をおいて到達した後、今回は内燃機関１０の運転範囲ｇのために第２の分離弁２１が閉鎖し、その直後に第３の分離弁２１が開けられる。再び同じ圧力に到達したとき、第５の分離弁２１が閉じ、第４の分離弁２１が開く。更にまた同じ圧力に到達したとき、内燃機関１０の運転範囲ｈのために第３の分離弁２１が閉じ、第４のシリンダ１１の範囲における排気駆動過給機Ｄのための第１の室が生ずる。同じ圧力信号に応じて第１の分離弁２１が閉じ、内燃機関１０の運転範囲ｉのために第２の分離弁２１が開く。いまや４台すべての排気駆動過給機Ａ、Ｂ、Ｃ、Ｄが過給過程に関与し、排気駆動過給機Ａからの案内圧の所定レベル以下への低下がはじめて運転範囲ｉから運転範囲ａまで下方に向かう戻り切換過程のための信号を与える。エンジン出力の撤回は出力形成の場合よりも非常に速やかにあっさりとしなければならないので、この場合主に始動点ないし始動過程に直接戻される。これは、出力需要の終わりに直ちに中間過程なしに、個々の分離弁２１が既に開かれない間に、６個すべての分離弁２１が開かれることによって行われる。
【００１４】
内燃機関１０の最高運転範囲ｉあるいは他の上方に到達している運転範囲からの段階的な戻りは原理的には接続過程と全く逆の順序で図２において上向きに行われる。即ち運転範囲ｉから出発して第２の分離弁２１が閉じられ、その後で第１の分離弁２１が開かれる。それから排気駆動過給機Ｄがしゃ断され、第３の分離弁２１が開かれる。その後、第４の分離弁２１が閉じられ、第５の分離弁２１が開かれ、これによって運転範囲ｇが得られる。その後、第３の分離弁２１が閉じられ、第２の分離弁２１が開かれる。いまや排気駆動過給機Ｃがしゃ断される。その後、第４の分離弁２１が開かれ、これによって運転範囲ｅが得られる。その後、必要に応じて第４の分離弁２１が閉じられ、第３の分離弁２１が開かれる。更にその後に第５の分離弁２１が閉じられ、第４の分離弁２１が開かれる。それから第６の分離弁２１が閉じられ、第５の分離弁２１が開かれる。最後に排気駆動過給機Ｂがしゃ断され、その後第６の分離弁２１も開けられる。
【００１５】
図２によって次のことが明らかに示されている。即ち、内燃機関１０の別の運転範囲ｃあるいはｄあるいはｅないしはｇないしはｉを形成するために、次の排気駆動過給機ＢないしＣないしＤの追加接続後および既接続の排気駆動過給機のしゃ断前に、別のシリンダ１１の過給空気供給が或る排気駆動過給機の過給空気流から別の排気駆動過給機の過給空気流に切り換えられることが明らかに示されている。これを２個以上のシリンダ１１に対して同時に行うかどうかは、内燃機関１０のシリンダ数の問題および例えば内燃機関１０の加速運転および減速運転の差異の問題である。いずれの場合もこの処置によって内燃機関１０の運転スペクトルは、別々に保たれる過給空気流の相互干渉なしに多くの運転範囲に一層細かく細分化される。
【００１６】
内燃機関１０の運転スペクトルの特に有利な細分化は、第３の排気駆動過給機Ｃの追加接続を始める運転範囲ｆが、８個のシリンダ１１を個数的に半分づつ第１の排気駆動過給機Ａと第２の排気駆動過給機Ｂとに分割している運転範囲ｅに続いていることにある。これによって、内燃機関１０が非常に効果的に運転され高位の排気駆動過給機Ｃ、Ｄがまだ必要とされない運転範囲に良好に段階づけることができる。内燃機関１０の運転範囲ｅにおいて両排気駆動過給機Ａ、Ｂに対する同じ大きさの過給空気需要は、構造および出力が同じ形式の排気駆動過給機の有用性を助長する。これは特にまた、内燃機関１０の最高運転範囲ｉにおいて全部の排気駆動過給機Ａ、Ｂ、Ｃ、Ｄのそれぞれが同数のシリンダ１１に過給空気を供給するためにも適用される。従って常に排気駆動過給機の台数と内燃機関１０のシリンダ１１の個数とを或る整数比にするように努めねばならない。
【００１７】
内燃機関１０の運転スペクトルの遷移調和的細分化を一層促進するために、全負荷時における内燃機関（１０）の最高回転数が、排気駆動過給機の総数に対応した区分数に実質的に一様に分割され、この実質的に一様な分割は、弁装置（１９）における複数個の切換弁（２１）の配置によってなされる。特に内燃機関１０の運転範囲ａ〜ｉの順序に対応した、内燃機関１０のシリンダ１１に前置された弁装置１９の種々の位置の順序は、排気駆動過給機Ａ、Ｂ、Ｃ、Ｄに付属した過給空気圧計２６と全シリンダ１１に共通の排気圧計２８との測定値の組み合わせによって制御される。これは測定値が調整結果に密接に関係し、単純なマノメータが測定器として十分であるからである。しかしまたその代わりにあるいはそれと組み合わせて、同じ目的のために内燃機関１０の軸に接続された回転数計３０の測定値および内燃機関１０のアクセルペダル３２の負荷需要値を利用することもできる。
【図面の簡単な説明】
【図１】  本発明に基づく方法を実施するための装置の概略構成図。
【図２】  図１の弁装置の全運転過程における状態の説明図。
【符号の説明】
１０              内燃機関
１１              シリンダ
１９              弁装置
２４              コンピュータ
２６              過給空気圧計
２８              排気ガス圧計
Ａ、Ｂ、Ｃ、Ｄ    排気駆動過給機
【図１】
0004037992.tif 000002
【図２】
0004037992.tif 000003